(57)【特許請求の範囲】
【請求項１】
無線デバイスにおいて実装される方法であって、
設定のセットを表す設定データを決定すること（１００２）と、
前記設定のセット中の選択された設定を示す制御情報を受信することと、
送信ポイントから少なくとも１つの参照信号を受信すること（１００４）と、
前記少なくとも１つの参照信号に基づいて伝搬関係の量を測定すること（１００６）と、
前記測定された伝搬関係の量に基づいてアップリンク電力セッティングを導出すること（１００８）と
を含み、
前記少なくとも１つの参照信号を受信することが、前記セットから選択された設定に従って実行され、前記設定が、アップリンク電力制御に関係し、アップリンクチャネルまたは信号あるいはその組合せに固有であり、
前記設定のセットは、ビーム固有電力制御のための設定と、ビーム固有でない電力制御のための設定とを含む、
方法。
【請求項２】
前記設定のセットが、前記アップリンクチャネルまたは信号あるいはその組合せに固有である、請求項１に記載の方法。
【請求項３】
前記設定データが、各設定における参照信号のセットのサイズを示す、請求項１または２に記載の方法。
【請求項４】
前記設定データが半静的シグナリング中で受信される、請求項１から３のいずれか一項に記載の方法。
【請求項５】
前記受信された制御情報が、第１の制御情報であり、
前記第１の制御情報が、アップリンクチャネルまたは信号あるいはその組合せについて固有である、請求項１から４のいずれか一項に記載の方法。
【請求項６】
前記第１の制御情報が動的シグナリング中で受信される、請求項５に記載の方法。
【請求項７】
前記第１の制御情報が半静的シグナリング中で受信される、請求項５に記載の方法。
【請求項８】
前記設定のセット中の選択された設定を示す第２の制御情報を受信すること（１１０４）であって、前記第２の制御情報が、前記第１の制御情報と同じ時間または周波数位置に関係するが、異なるアップリンクチャネルまたは信号あるいはその組合せに固有である、第２の制御情報を受信すること（１１０４）をさらに含む、請求項５から７のいずれか一項に記載の方法。
【請求項９】
前記チャネルまたは信号あるいはその組合せが、物理アップリンク共有チャネル（ＰＵＳＣＨ）、物理アップリンク制御チャネル（ＰＵＣＣＨ）、および／またはサウンディング参照信号（ＳＲＳ）のうちの１つまたは複数である、請求項１から８のいずれか一項に記載の方法。
【請求項１０】
前記伝搬関係の量が、前記送信ポイントに対するパスロス、パスロス関係の量のうちの１つまたは複数である、請求項１から９のいずれか一項に記載の方法。
【請求項１１】
前記設定が、各時間セグメントまたは各周波数セグメントまたは各時間周波数タイルについて前記セットから独立して選択可能である、請求項１から１０のいずれか一項に記載の方法。
【請求項１２】
送信ポイントにおいて実装される方法であって、
前記送信ポイントによってサーブされるべき無線デバイスのアップリンク電力制御に関係する設定のセットを表す設定データを送信すること（１２０２）と、
前記設定のセット中の選択された設定を示す制御情報を送信することと、
少なくとも１つの参照信号を送信すること（１２０４）と
を含み、
前記少なくとも１つの参照信号は、前記セットから選択された設定に従って送信され、前記設定が、アップリンク電力制御に関係し、アップリンクチャネルまたは信号あるいはその組合せに固有であり、
前記設定のセットは、ビーム固有電力制御のための設定と、ビーム固有でない電力制御のための設定とを含む、方法。
【請求項１３】
前記設定のセットが、アップリンクチャネルまたは信号あるいはその組合せに固有である、請求項１２に記載の方法。
【請求項１４】
前記設定データが、各設定における参照信号のセットのサイズを示す、請求項１２または１３に記載の方法。
【請求項１５】
前記設定データが半静的シグナリング中で送信される、請求項１２から１４のいずれか一項に記載の方法。
【請求項１６】
前記送信された制御情報が、第１の制御情報であり、
前記第１の制御情報が、アップリンクチャネルまたは信号あるいはその組合せについて固有である、請求項１２から１５のいずれか一項に記載の方法。
【請求項１７】
前記第１の制御情報が動的シグナリング中で送信される、請求項１６に記載の方法。
【請求項１８】
前記第１の制御情報が半静的シグナリング中で送信される、請求項１６に記載の方法。
【請求項１９】
前記設定のセット中の選択された設定を示す第２の制御情報を送信すること（１２０８）であって、前記第２の制御情報が、前記第１の制御情報と同じ時間または周波数位置に関係するが、異なるアップリンクチャネルまたは信号あるいはその組合せに固有である、第２の制御情報を送信すること（１２０８）をさらに含む、請求項１６から１８のいずれか一項に記載の方法。
【請求項２０】
前記チャネルまたは信号あるいはその組合せが、物理アップリンク共有チャネル（ＰＵＳＣＨ）、物理アップリンク制御チャネル（ＰＵＣＣＨ）、および／またはサウンディング参照信号（ＳＲＳ）のうちの１つまたは複数である、請求項１２から１９のいずれか一項に記載の方法。
【請求項２１】
前記設定が、各時間セグメントまたは各周波数セグメントまたは各時間周波数タイルについて前記セットから独立して選択可能である、請求項１２から２０のいずれか一項に記載の方法。
【請求項２２】
受信機（４１２）と、送信機（４１２）と、処理回路要素（４１４）と、命令を記憶したメモリ（４１６）とを備える無線デバイス（３１０）であって、前記命令が、
設定のセットを表す設定データを決定することと、
前記設定のセット中の選択された設定を示す制御情報を受信することと、
送信ポイントから少なくとも１つの参照信号を受信することと、
前記少なくとも１つの参照信号に基づいて伝搬関係の量を測定することと、
前記測定された伝搬関係の量に基づいてアップリンク電力セッティングを導出することと
を行うために前記処理回路要素によって実行可能であり、
前記少なくとも１つの参照信号を前記受信することが、前記セットから選択された設定に従って実行され、前記設定が、アップリンク電力制御に関係し、アップリンクチャネルまたは信号あるいはその組合せに固有であり、
前記設定のセットは、ビーム固有電力制御のための設定と、ビーム固有でない電力制御のための設定とを含む、
無線デバイス（３１０）。
【請求項２３】
前記無線デバイスがユーザ機器である、請求項２２に記載の無線デバイス。
【請求項２４】
受信機（６２２）と、送信機（６２２）と、処理回路要素（６２４）と、命令を記憶したメモリ（６２６）とを備える送信ポイント（３２０）であって、前記命令が、
前記送信ポイントによってサーブされるべき無線デバイスのアップリンク電力制御に関係する設定のセットを表す設定データを送信することと、
前記設定のセット中の選択された設定を示す制御情報を送信することと、
少なくとも１つの参照信号を送信することと
を行うために前記処理回路要素によって実行可能であり、
前記少なくとも１つの参照信号は、前記セットから選択された設定に従って送信され、前記設定が、アップリンク電力制御に関係し、アップリンクチャネルまたは信号あるいはその組合せに固有であり、
前記設定のセットは、ビーム固有電力制御のための設定と、ビーム固有でない電力制御のための設定とを含む、送信ポイント（３２０）。
【請求項２５】
前記送信ポイントが、ｇＮＢなど、基地局である、請求項２４に記載の送信ポイント。
【請求項２６】
プログラマブルプロセッサに、請求項１から１１のいずれか一項に記載の方法を実行させるためのコンピュータ可読命令を備える、コンピュータプログラム。
【請求項２７】
請求項２６に記載のコンピュータプログラムを記憶したコンピュータ可読媒体。
【請求項２８】
プログラマブルプロセッサに、請求項１２から２１のいずれか一項に記載の方法を実行させるためのコンピュータ可読命令を備える、コンピュータプログラム。
【請求項２９】
請求項２８に記載のコンピュータプログラムを記憶したコンピュータ可読媒体。
【発明の詳細な説明】
【技術分野】
【０００１】
本明細書では、参照信号測定に基づくアップリンク電力制御を可能にするための方法およびデバイスが開示される。
【背景技術】
【０００２】
１．  電力制御
モバイルシステムにおいて、送信機、ダウンリンクにおける基地局およびアップリンクにおける移動局の出力電力レベルをセットすることは、通常、電力制御（ＰＣ）と呼ばれる。ＰＣの目的は、容量、カバレッジの改善、システムロバストネスの改善、および電力消費の低減を含む。
【０００３】
３ＧＰＰ  Ｌｏｎｇ  Ｔｅｒｍ  Ｅｖｏｌｕｔｉｏｎ（ＬＴＥ）では、ＰＣ機構は、グループ（ｉ）開ループ、（ｉｉ）閉ループ、および（ｉｉｉ）複合型開および閉ループにカテゴリー分類され得る。これらは、送信電力を決定するためにどの入力が使用されるかにおいて異なる。開ループの場合、送信機は、受信機から送られた何らかの信号を測定し、これに基づいて送信機の出力電力をセットする。閉ループの場合、受信機は、送信機からの信号を測定し、これに基づいて、送信電力制御（ＴＰＣ）コマンドを送信機に送り、送信機は、次いで、それに応じて送信機の送信電力をセットする。複合型開および閉ループ方式では、送信電力をセットするために両方の入力が使用される。
【０００４】
端末と基地局との間の複数のチャネル、たとえばトラフィックチャネルおよび制御チャネルをもつシステムでは、異なる電力制御原理が異なるチャネルに適用され得る。異なる原理を使用することは、電力制御原理を個々のチャネルの必要に適応させることにおいてより多くの自由をもたらす。欠点は、いくつかの原理を維持することの複雑さの増加である。
【０００５】
２．  ＰＣループ
ＬＴＥリリース１０では、たとえば、ユーザ機器（ＵＥ）は、以下を使用して、物理ランダムアクセスチャネル（ＰＲＡＣＨ）についてのＰＣを最初に実施している。
ＰＰＲＡＣＨ＝ｍｉｎ｛ＰＣＭＡＸ，ｃ（ｉ），ＰＲＥＡＭＢＬＥ＿ＲＥＣＥＩＶＥＤ＿ＴＡＲＧＥＴ＿ＰＯＷＥＲ＋ＰＬｃ｝
詳細については、３ＧＰＰ  ＴＲ３６．２１３、節５．１および各項を参照されたい。ＵＥとｅノードＢとの間で接続が確立された後に、ＵＥは、物理アップリンク制御チャネル（ＰＵＣＣＨ）、物理アップリンク共有チャネル（ＰＵＳＣＨ）およびサウンディング参照信号（ＳＲＳ）送信に対してもアップリンク（ＵＬ）ＰＣを実施するために設定され得る。ＰＵＣＣＨ送信のためのＵＥ送信電力をセットすることは、以下から行われる。
ＰＰＵＣＣＨ＝ｍｉｎ｛ＰＣＭＡＸ，ｃ，Ｐ０，ＰＵＣＣＨ＋ＰＬｃ＋∇Ｆｏｒｍａｔ＋δ｝
ここで、ＰＰＵＣＣＨは、所与のサブフレーム中で使用すべき送信電力であり、ＰＬｃは、ＵＥによって推定されたパスロスである。ＰＵＳＣＨでは、代わりに、以下の式を使用する。
ＰＰＵＳＣＨ，ｃ＝ｍｉｎ｛ＰＣＭＡＸ，ｃ−ＰＰＵＣＣＨ，Ｐ０，ＰＵＳＣＨ＋αＰＬｃ＋１０ｌｏｇ１０Ｍ＋∇ＭＣＳ＋δ｝
ここで、ｃはサービングセルを示し、ＰＰＵＳＣＨ，ｃは、所与のサブフレーム中で使用すべき送信電力である。ＳＲＳでは、以下を規定する。
ＰＳＲＳ，ｃ（ｉ）＝ｍｉｎ｛ＰＣＭＡＸ，ｃ（ｉ），ＰＳＲＳ  ＯＦＦＳＥＴ，ｃ（ｍ）＋１０ｌｏｇ１０ＭＳＲＳ，ｃ＋Ｐ０，ＰＵＳＣＨ（ｊ）＋αｃ（ｊ）・ＰＬｃ＋ｆｃ（ｉ）｝
またここで、ＰＬｃはＵＥ送信のための電力レベルに寄与する。ＵＥによって行われたパスロス推定がＰＣの重要な役割を果たすことが、このことから明らかである。パスロスは、ダウンリンク（ＤＬ）送信から推定されなければならず、一般に、参照信号に関して測定することによって行われる。
【０００６】
３．  ビーム固有電力制御
３ＧＰＰ新しい無線（ＮＲ）はビーム固有電力制御をサポートすることが想定されるが、ビーム特異性が何を暗示するかに関する厳密な詳細はまだ完全には決められていない。ビーム固有ＰＣは、たとえば、複数のＵＥ送信（ＴＸ）およびｇＮＢ（ＮＲにおける基地局）受信（ＲＸ）ビームペアにおける別々の電力制御が維持される使用事例を可能にする方式であり得る。使用事例は、たとえば、以下を含む。
−  あるビームを使用して送信ポイント（ＴＲＰ）に送信するＵＥが、別のビームに切り替え、次いで、結果として、あるＰＣループから別のＰＣループに同じく切り替える。
−  ＴＲＰに送信するＵＥが、別のＴＲＰに切り替え、次いで、結果として、あるＰＣループから別のＰＣループに同じく切り替える。
ただし、これらの種類の使用事例は主にハイバンド動作を対象とし、ＮＲ  ＵＬ  ＰＣをローバンド動作についてもうまく動作させることが必須であることを念頭に置いておくべきである。ここでは、非ビーム固有ＰＣが使用されたＬＴＥにおけるソリューションと同様のソリューションが十分であるはずである。したがって、ＮＲにおけるＰＣフレームワークのすべての部分をビーム固有になるように設計する明らかな正当な理由はない。
【０００７】
４．  ＲＳタイプ
ＮＲでは、チャネル状態情報参照信号（ＣＳＩ−ＲＳ）、同期信号（ＳＳ）（たとえば、１次ＳＳ、２次ＳＳ）、サウンディング参照信号（ＳＲＳ）、位相トラッキング参照信号（ＰＴＲＳ：ｐｈａｓｅ  ｔｒａｃｋｉｎｇ  ｒｅｆｅｒｅｎｃｅ  ｓｉｇｎａｌ）、およびトラッキング参照信号（ＴＲＳ：ｔｒａｃｋｉｎｇ  ｒｅｆｅｒｅｎｃｅ  ｓｉｇｎａｌ）など、いくつかの異なる種類の参照信号が存在することが想定される。ＰＣがそのパスロス推定をそれらの参照信号のサブセットに基づかせることを可能にされることも想定される。ただし、少なくともＳＳおよびＣＳＩ−ＲＳがこのサブセット中に含まれることが同意された。場合によっては、ＴＲＳも含まれる。これは、異なる種類の参照信号に基づいてＰＣが行われることを意味し、このことは、すべてのチャネルについてのＰＣのためにＣＲＳのみが使用された、ＬＴＥと比較した差異である。これは、図１中の信号処理図によって示され、ここで、パスロスパラメータＰＬｃが、ＣＲＳに基づいて測定され（ステップ１１１）、次いで、それぞれの計算ルール１２１、１２２、１２３を介してＳＲＳ、ＰＵＳＣＨ、およびＰＵＣＣＨの各々についての電力セッティングに寄与する。
【０００８】
５．  既存のソリューションに関する問題
ＬＴＥにおけるパスロス推定では、周期的およびセル固有様式で送信されたＣＲＳに依拠することが可能であった。ＮＲ、およびＬＴＥの潜在的に後のリリースでは、よりフレキシブルであるが、また、あまり静的でない参照信号フレームワークが考慮され、ＰＣ（特に非ビーム固有ＰＣ）のためのパスロス推定は、異なるタイプの参照信号に基づく。これは、参照信号に基づいてパスロスを推定することの問題をより複雑にする。
【発明の概要】
【０００９】
本開示の実施形態は、異なるタイプの参照信号に基づいて電力制御を実施するためのソリューションを提供し得る。
【００１０】
いくつかの実施形態によれば、無線デバイスにおいて実装される方法は、設定のセットを表す設定データを決定することを含む。本方法は、送信ポイントから少なくとも１つの参照信号を受信することを含む。少なくとも１つの参照信号を受信することは、セットから選択された設定に従って実行され、設定は、アップリンク電力制御に関係し、アップリンクチャネルまたは信号あるいはそのグループに固有である。本方法は、少なくとも１つの参照信号に基づいて伝搬関係の量（ｐｒｏｐａｇａｔｉｏｎ−ｒｅｌａｔｅｄ  ｑｕａｎｔｉｔｙ）を測定することと、測定された伝搬関係の量に基づいてアップリンク電力セッティングを導出することとを含む。
【００１１】
いくつかの実施形態では、設定のセットは、アップリンクチャネルまたは信号あるいはそのグループに固有である。
【００１２】
いくつかの実施形態では、設定データは、各設定における参照信号のセットのサイズを示す。いくつかの実施形態では、設定データは半静的シグナリング中で受信される。
【００１３】
いくつかの実施形態では、本方法は、設定のセット中の選択された設定を示す第１の制御情報を受信することをさらに含む。いくつかの実施形態では、第１の制御情報は、アップリンクチャネルまたは信号あるいはそのグループについて固有である。いくつかの実施形態では、第１の制御情報は動的シグナリング中で受信される。いくつかの実施形態では、第１の制御情報は半静的シグナリング中で受信される。
【００１４】
いくつかの実施形態では、本方法は、第２の制御情報を受信することをさらに含む。第２の制御情報は、第１の制御情報と同じ時間または周波数位置に関係するが、異なるアップリンクチャネルまたは信号あるいはそのグループに固有である。
【００１５】
いくつかの実施形態では、チャネルまたは信号あるいはそのグループは、ＰＵＳＣＨ、ＰＵＣＣＨ、および／またはＳＲＳのうちの１つまたは複数である。
【００１６】
いくつかの実施形態では、伝搬関係の量は、送信ポイントに対するパスロスおよび／またはパスロス関係の量（ｐａｔｈ  ｌｏｓｓ−ｒｅｌａｔｅｄ  ｑｕａｎｔｉｔｙ）のうちの１つまたは複数である。
【００１７】
いくつかの実施形態では、設定は、各時間セグメントまたは各周波数セグメントまたは各時間周波数タイルについてセットから独立して選択可能である。
【００１８】
無線デバイスにおいて実装される上記で説明された方法の実施形態のいずれかを実施するための無線デバイス、コンピュータプログラム、およびコンピュータプログラム製品も開示される。一例として、いくつかの実施形態では、無線デバイスは、受信機と、送信機と、処理回路要素と、処理回路要素によって実行可能な命令を記憶したメモリとを備える。いくつかの実施形態では、無線デバイスはユーザ機器である。命令は、設定のセットを表す設定データを決定するための命令と、送信ポイントから少なくとも１つの参照信号を受信するための命令とを備える。少なくとも１つの参照信号を受信することは、セットから選択された設定に従って実行され、設定は、アップリンク電力制御に関係し、アップリンクチャネルまたは信号あるいはそのグループに固有である。命令は、少なくとも１つの参照信号に基づいて伝搬関係の量を測定するための命令と、測定された伝搬関係の量に基づいてアップリンク電力セッティングを導出するための命令とを備える。別の例として、いくつかの実施形態では、コンピュータプログラムは、プログラマブルプロセッサに、無線デバイスにおいて実装される上記で説明された方法の実施形態のいずれかを実施させるためのコンピュータ可読命令を備える。別の例として、いくつかの実施形態では、コンピュータプログラム製品は、コンピュータプログラムを記憶したコンピュータ可読媒体を備える。
【００１９】
いくつかの実施形態によれば、送信ポイントにおいて実装される方法は、設定のセットを表す設定データを送信することを含む。設定のセットは、送信ポイントによってサーブされるべき無線デバイスのアップリンク電力制御に関係する。本方法は、少なくとも１つの参照信号を送信することをも含む。
【００２０】
いくつかの実施形態では、設定のセットは、アップリンクチャネルまたは信号あるいはそのグループに固有である。
【００２１】
いくつかの実施形態では、設定データは、各設定における参照信号のセットのサイズを示す。いくつかの実施形態では、設定データは半静的シグナリング中で送信される。
【００２２】
いくつかの実施形態では、本方法は、設定のセット中の選択された設定を示す第１の制御情報を送信することをさらに含む。いくつかの実施形態では、第１の制御情報は、アップリンクチャネルまたは信号あるいはそのグループについて固有である。いくつかの実施形態では、第１の制御情報は動的シグナリング中で送信される。いくつかの実施形態では、第１の制御情報は半静的シグナリング中で送信される。
【００２３】
いくつかの実施形態では、本方法は、第２の制御情報を送信することをさらに含む。第２の制御情報は、第１の制御情報と同じ時間または周波数位置に関係するが、異なるアップリンクチャネルまたは信号あるいはそのグループに固有である。
【００２４】
いくつかの実施形態では、チャネルまたは信号あるいはそのグループは、ＰＵＳＣＨ、ＰＵＣＣＨ、および／またはＳＲＳのうちの１つまたは複数である。
【００２５】
いくつかの実施形態では、設定は、各時間セグメントまたは各周波数セグメントまたは各時間周波数タイルについてセットから独立して選択可能である。
【００２６】
送信ポイントにおいて実装される上記で説明された方法の実施形態のいずれかを実施するための送信ポイント、コンピュータプログラム、およびコンピュータプログラム製品も開示される。一例として、いくつかの実施形態では、送信ポイントは、受信機と、送信機と、処理回路要素と、処理回路要素によって実行可能な命令を記憶したメモリとを備える。いくつかの実施形態では、送信ポイントは、ｇＮＢなど、基地局である。命令は、設定のセットを表す設定データを送信するための命令を備える。設定のセットは、送信ポイントによってサーブされるべき無線デバイスのアップリンク電力制御に関係する。命令は、少なくとも１つの参照信号を送信するための命令をさらに備える。別の例として、いくつかの実施形態では、コンピュータプログラムは、プログラマブルプロセッサに、送信ポイントにおいて実装される上記で説明された方法の実施形態のいずれかを実施させるためのコンピュータ可読命令を備える。別の例として、いくつかの実施形態では、コンピュータプログラム製品は、コンピュータプログラムを記憶したコンピュータ可読媒体を備える。
【００２７】
いくつかの実施形態によれば、アップリンク電力制御は、アップリンク電力制御パスロス推定がどの参照信号または参照信号のセットに基づくべきであるかに関するオプションの限られたセットをＵＥがサポートする、方法に従って実施され得る。さらに、いくつかの実施形態では、アップリンク電力制御パスロス推定のためにどのオプションを使用すべきかは、異なるチャネルまたは異なる信号について別々に設定され得る。一例として、アップリンク電力制御パスロス推定のためにどのオプションを使用すべきかは、ＰＵＣＣＨ、ＰＵＳＣＨ、および／またはＳＲＳについて別々に設定され得る。
【００２８】
いくつかの実施形態によれば、無線デバイスにおいて実装される方法は、送信ポイントから少なくとも１つの参照信号を受信することと、少なくとも１つの参照信号に基づいて伝搬関係の量のロスを測定することと、測定された伝搬関係の量に基づいてアップリンク電力セッティングを導出することとを含む。少なくとも１つの参照信号を受信することは、アップリンク電力制御に関係する設定に従って実行される。
【００２９】
いくつかの実施形態によれば、コンピュータプログラムは、プログラマブルプロセッサに、無線デバイスにおいて使用するための方法を実施させるためのコンピュータ可読命令を備える。
【００３０】
いくつかの実施形態によれば、無線デバイスは、受信機と、送信機と、処理回路要素と、命令を記憶したメモリとを備え、命令は、送信ポイントから少なくとも１つの参照信号を受信することと、少なくとも１つの参照信号に基づいて伝搬関係の量のロスを測定することと、測定された伝搬関係の量に基づいてアップリンク電力セッティングを導出することとを行うために処理回路要素によって実行可能である。少なくとも１つの参照信号を受信することは、アップリンク電力制御に関係する設定に従って実行される。
【００３１】
いくつかの実施形態によれば、送信ポイントにおいて実装される方法は、送信ポイントによってサーブされるべき無線デバイスのアップリンク電力制御に関係する設定を示す第１の制御情報を送信することと、少なくとも１つの参照信号を送信することとを含む。
【００３２】
いくつかの実施形態によれば、送信ポイントは、受信機と、送信機と、処理回路要素と、命令を記憶したメモリとを備え、命令は、送信ポイントによってサーブされるべき無線デバイスのアップリンク電力制御に関係する設定を示す第１の制御情報を送信することと、少なくとも１つの参照信号を送信することとを行うために処理回路要素によって実行可能である。
【００３３】
いくつかの実施形態によれば、コンピュータプログラムは、プログラマブルプロセッサに、送信ポイントにおいて使用するための方法を実施させるためのコンピュータ可読命令を備える。
【００３４】
一例として、上記の方法、無線デバイス、送信ポイント、またはコンピュータプログラムのいずれにおいても、設定は、アップリンク電力制御のために複数の参照信号のうちのどれを使用すべきかを示し得る。いくつかの実施形態では、設定は、特定のアップリンクチャネル、信号、および／またはグループ（たとえば、１つまたは複数のアップリンクチャネルおよび／または信号を備えるグループ）について別々に設定され得る。追加の例の実施形態が、以下のセクションにおいてさらに説明される。
【００３５】
本開示のいくつかの実施形態は、１つまたは複数の技術的利点を提供する。いくつかの実施形態の技術的利点は、電力制御を参照信号（または参照信号のセット）のためのオプションのセットから選択された参照信号（または参照信号のセット）に基づかせることを含む。いくつかの実施形態の技術的利点は、異なる電力制御動作を異なる参照信号（または参照信号のセット）に基づかせる能力を含む。たとえば、ＳＲＳ  ＰＣはある参照信号（または参照信号のセット）に基づき得、ＰＵＣＣＨおよびＰＵＳＣＨは別の参照信号（または参照信号のセット）に基づき得る。本開示の実施形態は、これらの利点のすべてを含むか、いくつかを含むか、またはいずれも含まないことがある。他の利点が当業者に明らかであり得る。
【図面の簡単な説明】
【００３６】
【図１】従来技術のアップリンク電力制御構成の一例を示す図である。図１では、矢印は信号を表し、ボックスは、信号に適用される処理ステップを表す。
【図２】本開示のいくつかの実施形態による、アップリンク電力制御構成における信号処理の一例を示す図である。図２では、矢印は信号を表し、ボックスは、信号に適用される処理ステップを表す。
【図３】いくつかの実施形態による、無線ネットワークの一例を示す図である。
【図４】いくつかの実施形態による、無線デバイスの一例を示す図である。
【図５】いくつかの実施形態による、図４の無線デバイスなど、無線デバイスの構成要素の一例を示す図である。
【図６】いくつかの実施形態による、送信ポイントの一例を示す図である。
【図７】いくつかの実施形態による、図６の送信ポイントなど、送信ポイントの構成要素の一例を示す図である。
【図８】いくつかの実施形態による、無線デバイスによって実施され得る方法の一例を示す図である。
【図９】いくつかの実施形態による、送信ポイントによって実施され得る方法の一例を示す図である。
【図１０】いくつかの実施形態による、無線デバイスによって実施され得る方法の一例を示す図である。
【図１１】いくつかの実施形態による、無線デバイスによって実施され得る方法の一例を示す図である。
【図１２】いくつかの実施形態による、送信ポイントによって実施され得る方法の一例を示す図である。
【発明を実施するための形態】
【００３７】
次に、添付の図面を参照しながら、例示的な実施形態がより詳細に説明され、添付の図面について、同様の数字が、様々な図面の同様の部分および対応する部分を表す。
【００３８】
図２は、例示的な一実施形態による、アップリンク電力制御構成における信号処理を示す。信号処理は、図３に関して説明される無線デバイス３１０など、無線デバイスによって実施され得る。図２では、各水平ラインは、それぞれのチャネルまたは信号についての電力セッティングを提供するための処理チェーンに対応する。信号処理セットアップは、ここでは、それらのすべてが無線デバイスから送信される、チャネルＰＵＳＣＨおよびＰＵＣＣＨならびに信号ＳＲＳについて示されているが、ＰＲＡＣＨなど、他のチャネルに容易に拡張され得る。無線デバイスがすべてのチャネルおよび信号に関して並行してＰＣを実施することは、必須ではない。ＰＣが各チャネルまたは信号に固有の様式で設定可能であるが、設定可能性（ｃｏｎｆｉｇｕｒａｂｉｌｉｔｙ）が１つまたは複数のチャネルおよび／または信号のグループのグラニュラリティ（ｇｒａｎｕｌａｒｉｔｙ）を有し得ることも、必須ではない。
【００３９】
無線デバイスは、上記で説明された「サブセット」中の任意の参照信号（ＲＳ）、すなわち、現在、ＣＳＩ−ＲＳ、およびＳＳのいずれかを使用することを可能にされる。「サブセット」は、図２中の認容される（１つまたは複数の）ＲＳによって表される。それぞれの選択段階２０１、２０２、２０３によって示されているように、無線デバイスは、チャネルまたは信号固有様式で、認容されるＲＳのうちの１つまたは複数を選択する。この（１つまたは複数の）ＲＳに対して、無線デバイスは、パスロスまたは参照信号受信電力（ＲＳＲＰ）など、伝搬関係の量ＰＬの測定（または推定）２１１、２１２、２１３を実施する。伝搬関係の量ＰＬは、次いで、それぞれの電力計算ブロック２２１、２２２、２２３に供給され、それぞれの電力計算ブロック２２１、２２２、２２３は、右への矢印によって象徴されるチャネルまたは信号ごとの電力セッティングを生成する。無線デバイスは、電力セッティングのうちの１つまたは複数を適用し得る。特に、無線デバイスは、電力セッティングのうちの対応する１つに従う電力を用いてアップリンクチャネルまたは信号を送信し得る。
【００４０】
選択段階２０１、２０２、２０３は、無線デバイスの受信チェーンの動作に影響を及ぼすように、たとえば、それに、ネットワークからの選択されたＲＳの送信に対応する周波数および／または時間および／またはコードセッティングにおいて受信させることによって、設定され得る。選択段階２０１、２０２、２０３は、それに、設定、または以下で説明される意味において「オプション」のセットを表す設定データを記憶させる様式で、（たとえば、ネットワーク仕様において静的に、または代替的に、上位レイヤシグナリングによって半静的に）事前設定され得る。無線デバイスは、次いで、これらのチャネルについてｘＳＲＳ、ｘＰＵＳＣＨ、ｘＰＵＣＣＨと示された制御情報を受信し得、制御情報は、事前設定された設定のうちの１つを示す。設定データはすべてのチャネルおよび信号について共通であり得、制御情報はチャネルまたは信号あるいはそのグループに固有であり得る。選択段階２０１、２０２、２０３が静的に事前設定された場合、制御情報は半静的シグナリング中に含まれていることがある。選択段階２０１、２０２、２０３が半静的に事前設定された場合、制御情報は、同様に半静的であり得るか、または、代替的に、ダウンリンク制御情報（ＤＣＩ）など、動的シグナリング中に含まれていることがある。
【００４１】
本開示の以下のセクションはいくつかの例示的な実施形態を提示し、いくつかの例示的な実施形態は、上記で説明されたものと同じまたは同様の原理を組み込み得る。
【００４２】
ＵＥにおいてどのＲＳを使用すべきかの選択を可能にする実施形態が、最初に説明される。
【００４３】
ＮＲにおいて、少なくともＳＳおよびＣＳＩ−ＲＳを含む、複数の参照信号タイプが、ＵＬ  ＰＣにおけるパスロス推定のために使用され得るので、ＵＥが時点ごとに（およびまた潜在的に周波数ごとに）どの参照信号／参照信号のセットを使用するべきであるかについてのフレームワークが必要とされる。一実施形態では、ＵＥは、異なるやり方でＵＬ  ＰＣのために利用可能な参照信号を使用するように設定され得る。ＵＥは、たとえば、どの参照信号を使用すべきかに関するオプションの限られたセットの中からの１つが設定され得る。一実施形態では、オプションのこの限られたセットは、ＵＥが、ＵＬ  ＰＣを以下に基づかせるべきであるということである。
Ｃ１
ｉ．  ＳＳ、または
ｉｉ．  １つのＣＳＩ−ＲＳ、または
ｉｉｉ．  ＣＳＩ−ＲＳのセット。
上記で見られたように、オプションのリストＣ１は、３ＧＰＰによって同意された仕様など、ネットワーク仕様においてあらかじめ規定され得、代替的に、リストＣ１は半静的に設定され得る。したがって、ＵＥは、オプションｉ）〜ｉｉｉ）のうちの１つが設定され、次いで、さらに、潜在的に、参照信号自体に関する何らかの情報、たとえばオプションｉｉ）〜ｉｉｉ）についてどの１つのＣＳＩ−ＲＳ／複数のＣＳＩ−ＲＳが設定される。それにより、ＵＬ  ＰＣについてのパスロスを推定するときにＵＥが何に関して測定するべきかが明らかにされる。
【００４４】
一実施形態では、ｉｉ）および／またはｉｉｉ）におけるＣＳＩ−ＲＳは、周期的ＣＳＩ−ＲＳとして設定されるように制約される。別の実施形態では、ｉｉ）および／またはｉｉｉ）におけるＣＳＩ−ＲＳは、周期的および／または非周期的および／または半静的であるように設定され得る。
【００４５】
別の実施形態では、オプションのリストは、代わりに、以下である。
Ｃ２
ｉ．  ＳＳ、または
ｉｉ．  １つのＣＳＩ−ＲＳおよびＳＳ、または
ｉｉｉ．  ＣＳＩ−ＲＳのセット。
したがって、オプションのいくつかが複数のタイプの参照信号を含むことが可能である。別の実施形態では、オプションのリストは、代わりに、以下である。
Ｃ３
ｉ．  ＳＳ、または
ｉｉ．  ＣＳＩ−ＲＳのセット。
また別の実施形態では、オプションのリストは、代わりに、以下である。
Ｃ４
ｉ．  ＴＲＳ、または
ｉｉ．  ＳＳ、または
ｉｉｉ．  １つのＣＳＩ−ＲＳ、または
ｉｖ．  ＣＳＩ−ＲＳのセット。
ここで、ＴＲＳは、ＮＲの一部であると仮定されるトラッキング参照信号である。一実施形態では、「ＣＳＩ−ＲＳのセット」はＣＳＩ−ＲＳビームスイープに接続され、その場合、ＰＣはＣＳＩ−ＲＳリソースインジケータ（ＣＲＩ）に基づき得、したがって、ＰＣは、ＣＲＩに対応するＣＳＩ−ＲＳリソースに基づく。
【００４６】
次に、ＰＣループをＲＳに接続する実施形態が説明される。
【００４７】
オプションの限られたセットがＣ１と示された前の実施形態の参照が新たに行われる。異なるオプションについてのＰＵＣＣＨおよびＰＵＳＣＨのための以下の使用事例が識別され得る。
ｉ．  ＳＳ：低い数のｇＮＢ  ＴＸ／ＲＸアンテナをもつ主流ローバンド展開。ここでは、ＳＳからのパスロス推定が真のパスロスを十分に反映し得る。
ｉｉ．  １つのＣＳＩ−ＲＳ：ｇＮＢ  ＴＸ／ＲＸアンテナの数がより高い場合、ＣＳＩ−ＲＳにおける固有のフレキシビリティを利用することによってより正確にビームフォーミング利得をキャプチャすることが有益であり得る。フレキシビリティは、現在の動作条件に一致するアンテナポートに関連するＣＳＩ−ＲＳを選択することを含み得る。別の使用事例は、ＵＬ送信が、ＳＳを送信するＴＲＰとは別のＴＲＰに対して行われるときであり、ここで、ＰＣは、ＰＣがＳＳに基づいていた場合、十分に動作しないことがある。
ｉｉｉ．  ＣＳＩ−ＲＳのセット：ビーム固有ＰＣを使用することをも有益にし得るビーム管理プロシージャを用いて動作しているときのハイバンド使用事例。ビーム管理プロシージャがそれらに対して動作する、Ｎ個のビームペアリンクがある場合、ビーム固有ＰＣを得るために、Ｎ個のＣＳＩ−ＲＳのセットが設定され、異なるＵＥ  ＲＸ／ＴＸビームに接続され得る。
使用事例ｉｉｉ）におけるＳＲＳ送信では、数個の異なるシナリオが識別される。第１のシナリオでは、ビームスイーピングプロシージャが実施され、その結果、推奨ＳＲＩ（ＳＲＳリソースインジケータ）が生じる。ここでは、すべてのＳＲＳが同じ電力を用いて送信されることが必要であり、したがって、ＳＲＳビームスイープＰＣは１つのＰＣループに接続されるべきであり、したがって、ビーム固有でない。その場合、上述のように、このＰＣループをｉ）またはｉｉ）のいずれかに接続することは、自然のように見える。ただし、この場合、ＳＲＳ  ＰＣをｉｉｉ）に接続することは適切でない。依然として、ＰＵＳＣＨおよびＰＵＣＣＨでは、ＰＵＳＣＨおよびＰＵＣＣＨがビーム管理を用いて動作し、それにより、ｉｉｉ）を設定されることによってビーム固有ＰＣを使用することから潜在的に恩恵を受けることが可能である。
【００４８】
第２のシナリオでは、ＰＵＳＣＨおよびＰＵＣＣＨは、ビーム管理を用いて動作し、それにより、ｉｉｉ）を使用する潜在的にビーム固有のＰＣを用いて動作し、ＳＲＳ送信が、ビーム管理プロシージャを利用する相反性ベースシステムにおいてリンク適応を実施するために使用される。ここでは、それゆえに、ＳＲＳ  ＰＣがビーム固有であり、したがってＰＵＳＣＨと同じ様式でビームに接続されることが好ましい。したがって、ＳＲＳ  ＰＣはそれゆえにｉｉｉ）を使用して設定されるべきである。別の使用事例では、ＳＲＳはそのシステムによって使用されず、ＳＲＳ  ＰＣはまったく設定される必要がない。
【００４９】
一実施形態では、ＵＥは、ＳＲＳ  ＰＣのためのオプションｉ）〜ｉｉｉ）のうちの１つ、ならびにＰＵＣＣＨ  ＰＣのためのオプションｉ）〜ｉｉｉ）のうちの１つおよびＰＵＳＣＨのためのオプションｉ）〜ｉｉｉ）のうちの１つが設定される。これは、ＵＬ  ＰＣパスロス推定のためにどのオプションを使用すべきか、ＰＵＣＣＨ、ＰＵＳＣＨおよびＳＲＳについて別々にＵＥを設定する本実施形態内の能力を示す。別の実施形態では、ＳＲＳについては別々に、ＵＬ  ＰＣパスロス推定のためにどのオプションを使用すべきかについてＵＥを設定することが可能であるが、ＰＵＣＣＨとＰＵＳＣＨとは同じオプションを共有する。
【００５０】
別の実施形態では、ＳＲＳ  ＰＣは、ＣＳＩ−ＲＳのセットのサイズがサイズＭに設定されている場合のｉｉｉ）に設定される一方、ＰＵＣＣＨは、ＣＳＩ−ＲＳのセットのサイズがサイズＮに設定されている場合のｉｉｉ）に設定され、ここでＮ≠Ｍである。したがって、ＰＵＣＣＨ、ＰＵＳＣＨおよびＳＲＳについて別々に設定を可能にすることによって、ＣＳＩ−ＲＳの異なるセットを設定することが可能になる。
【００５１】
別の実施形態では、ＰＵＣＣＨ  ＰＣは、ｉ）を使用して設定されるが、ＰＵＳＣＨ  ＰＣは、ｉｉｉ）を使用して設定される。
【００５２】
図３は、無線通信のために使用され得る無線ネットワーク３００の一例を示す。無線ネットワーク３００は、複数の無線ノードを含む。無線ノードの例は、（ＵＥなどの）無線デバイス３１０ａ〜３１０ｂと、（ｇＮＢ、ｅＮＢ、または基地局などの）送信ポイント３２０ａ〜３２０ｂとを含む。送信ポイント３２０は、相互接続ネットワーク３２５を介して１つまたは複数のコアネットワークノード３３０に接続する。カバレッジエリア３１５内の無線デバイス３１０は、各々、無線インターフェース上で送信ポイント３２０と直接通信することが可能であり得る。無線デバイスは、デバイスツーデバイス（Ｄ２Ｄ）通信を介して互いと通信することも可能であり得る。
【００５３】
一例として、無線デバイス３１０ａは、無線インターフェース上で送信ポイント３２０ａと通信し得る。すなわち、無線デバイス３１０ａは、無線信号を送信し、および／または無線信号を送信ポイント３２０ａから受信し得る。無線信号は、音声トラフィック、データトラフィック、制御信号、および／または任意の他の好適な情報を含んでいることがある。いくつかの実施形態では、送信ポイント３２０に関連する無線信号カバレッジのエリアはセルと呼ばれることがある。
【００５４】
いくつかの実施形態では、無線デバイス３１０は、ユーザ機器（ＵＥ）という非限定的な用語で互換的に呼ばれることがある。無線デバイス３１０は、セルラーまたは移動体通信システムにおけるネットワークノードおよび／または別の無線デバイスと通信する任意のタイプの無線デバイスを指す。無線デバイスの例は、ターゲットデバイス、デバイスツーデバイス（Ｄ２Ｄ）ＵＥ、Ｖ２ｘ  ＵＥ、マシン型ＵＥまたはマシンツーマシン（Ｍ２Ｍ）通信が可能なＵＥ、ＰＤＡ、ＰＡＤ、タブレット、モバイル端末、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングルなどを含む。したがって、図３は無線デバイス３１０をフォン（ｐｈｏｎｅ）として示しているが、他の実施形態は他のタイプの無線デバイス３１０を使用し得る。無線デバイス３１０の例示的な実施形態が、図４〜図５に関して以下でより詳細に説明される。
【００５５】
いくつかの実施形態では、送信ポイント３２０は、無線アクセスノード、ｇＮＢ、ｅＮＢ、基地局、ネットワークノード、またはＷＡＮノードという非限定的な用語で互換的に呼ばれることがある。ＷＡＮノードは、ＵＥ（たとえばＤ２Ｄ  ＵＥ）またはネットワークノード（たとえば、アクセスポイント、基地局、セルラーノードなど）であり得る。送信ポイント３２０の例示的な実施形態が、図６〜図７に関して以下でより詳細に説明される。
【００５６】
いくつかの実施形態では、送信ポイント３２０は、無線ネットワークコントローラとインターフェースし得る。無線ネットワークコントローラは、送信ポイント３２０を制御し得、いくつかの無線リソース管理機能、モビリティ管理機能、および／または他の好適な機能を提供し得る。いくつかの実施形態では、無線ネットワークコントローラの機能は、送信ポイント３２０中に含まれ得る。無線ネットワークコントローラは、コアネットワークノード３３０とインターフェースし得る。いくつかの実施形態では、無線ネットワークコントローラは、相互接続ネットワーク３２５を介してコアネットワークノード３３０とインターフェースし得る。
【００５７】
相互接続ネットワーク３２５は、オーディオ、ビデオ、信号、データ、メッセージ、または前述の任意の組合せを送信することが可能な相互接続システムを指し得る。相互接続ネットワーク３２５は、公衆交換電話網（ＰＳＴＮ）、パブリックまたはプライベートデータネットワーク、ローカルエリアネットワーク（ＬＡＮ）、メトロポリタンエリアネットワーク（ＭＡＮ）、ワイドエリアネットワーク（ＷＡＮ）、インターネット、有線または無線ネットワークなどのローカル、地域、またはグローバル通信またはコンピュータネットワーク、企業イントラネット、あるいはこれらの組合せを含む任意の他の好適な通信リンクの全部または一部分を含み得る。
【００５８】
いくつかの実施形態では、コアネットワークノード３３０は、無線デバイス３１０のための通信セッションの確立および様々な他の機能性を管理し得る。無線デバイス３１０は、非アクセス層レイヤを使用していくつかの信号をコアネットワークノードと交換し得る。非アクセス層シグナリングでは、無線デバイス３１０とコアネットワークノード３３０との間の信号は、無線アクセスネットワークを通して透過的に受け渡され得る。いくつかの実施形態では、送信ポイント３２０は、ノード間インターフェース上で１つまたは複数のネットワークノードとインターフェースし得る。たとえば、送信ポイント３２０ａおよび３２０ｂは、ノード間インターフェース上でインターフェースし得る。
【００５９】
図３はネットワーク３００の特定の構成を示しているが、本開示は、本明細書で説明される様々な実施形態が、任意の好適な設定を有する様々なネットワークに適用され得ることを企図する。たとえば、ネットワーク３００は、任意の好適な数の無線デバイス３１０および送信ポイント３２０、ならびに無線デバイス間の通信、または無線デバイスと（固定電話などの）別の通信デバイスとの間の通信をサポートするのに好適な任意の追加のエレメントを含み得る。本実施形態は、任意の好適な通信規格をサポートし、任意の好適な構成要素を使用する任意の適切なタイプの電気通信システムにおいて実装され得、無線デバイスが信号（たとえば、データ）を受信および／または送信する任意の無線アクセス技術（ＲＡＴ）またはマルチＲＡＴシステムに適用可能である。いくつかの実施形態は例および説明の目的で特定のＲＡＴについて説明されるが、他の実施形態は、ＬＴＥ、ＬＴＥ  ＦＤＤ／ＴＤＤ、ＮＲ、ＷＣＤＭＡ／ＨＳＰＡ、ＧＳＭ／ＧＥＲＡＮ、Ｗｉ  Ｆｉ、ＷＬＡＮ、ＣＤＭＡ２０００などを含み得る、任意の好適なＲＡＴに適用可能である。
【００６０】
図４は、いくつかの実施形態による、例示的な無線デバイス３１０のブロック図である。無線デバイス３１０は、無線インターフェース４１２、（たとえば、１つまたは複数のプロセッサを備える）処理回路要素４１４、およびメモリ４１６のうちの１つまたは複数各々を含む。いくつかの実施形態では、無線インターフェース４１２は、（たとえば、アンテナを介して）無線信号をネットワークノード／ＷＡＮノード／送信ポイント３２０に送信することを可能にする送信機と、無線信号をネットワークノード／ＷＡＮノード／送信ポイント３２０から受信することを可能にする受信機とを含み、処理回路要素４１４は、無線デバイス（またはＵＥ）によって提供されるものとして本明細書で説明される機能性の一部または全部を提供するための命令を実行し、メモリ４１６は、処理回路要素４１４によって実行される命令を記憶する。
【００６１】
処理回路要素４１４は、アップリンク電力制御に関係する設定に従って少なくとも１つの参照信号を受信すること、少なくとも１つの参照信号に基づいて（ロスなどの）伝搬関係の量を測定すること、および測定された伝搬関係の量に基づいてアップリンク電力セッティングを導出することなど、無線デバイス３１０の説明される機能の一部または全部を実施するために、命令を実行し、データを操作するための、１つまたは複数のモジュールにおいて実装されたハードウェアとソフトウェアとの任意の好適な組合せを含み得る。いくつかの実施形態では、処理回路要素４１４は、本明細書の図２および／または図５を参照しながら説明される構成要素の一部または全部を含み得る。いくつかの実施形態では、処理回路要素は、図８、図１０、または図１１および／あるいは以下で説明されるさらなる例示的な実施形態１〜２９のうちの１つまたは複数の方法を実施し得る。いくつかの実施形態では、処理回路要素４１４は、たとえば、１つまたは複数のコンピュータ、１つまたは複数の中央処理ユニット（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／または他の論理を含み得る。
【００６２】
メモリ４１６は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ４１６の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、無線デバイス３１０の処理回路要素４１４によって使用され得る情報、データ、および／または命令を記憶する、任意の他の揮発性または不揮発性、非一時的コンピュータ可読および／またはコンピュータ実行可能メモリデバイスを含む。
【００６３】
無線デバイス３１０の他の実施形態は、本明細書で説明される機能性および／または（本明細書で説明されるソリューションをサポートするのに必要な任意の機能性を含む）任意の追加の機能性のいずれかを含む、無線デバイスの機能性のいくつかの態様を提供することを担当し得る、図４に示されている構成要素以外の追加の構成要素を含み得る。ほんの一例として、無線デバイス３１０は、処理回路要素の一部であり得る、入力デバイスおよび回路、出力デバイス、ならびに１つまたは複数の同期ユニットまたは回路を含み得る。入力デバイスは、無線デバイス３１０へのデータのエントリのための機構を含む。たとえば、入力デバイスは、マイクロフォン、入力エレメント、ディスプレイなど、入力機構を含み得る。出力デバイスは、オーディオ、ビデオおよび／またはハードコピーフォーマットでデータを出力するための機構を含み得る。たとえば、出力デバイスは、スピーカー、ディスプレイなどを含み得る。
【００６４】
図５は、無線デバイス３１０中に含まれ得るモジュールの例を示す。いくつかの実施形態では、無線デバイス３１０は、（１つまたは複数の）決定モジュール５０２、（１つまたは複数の）通信モジュール５０４、（１つまたは複数の）受信モジュール５０６、（１つまたは複数の）ユーザ入力モジュール５０８、（１つまたは複数の）ディスプレイモジュール５１０、および／または他の好適なモジュールのうちのいずれか１つまたは複数を含み得る。モジュールの機能性は、任意の好適な様式で、単一の構成要素に組み込まれるかまたはいくつかの構成要素の間で分離され得る。いくつかの実施形態では、モジュールのうちの１つまたは複数は、図４に関して説明された処理回路要素４１４を使用して実装され得る。
【００６５】
決定モジュール５０２は、（図２、図８、図１０、または図１１および／あるいはさらなる例示的な実施形態１〜２９のうちの１つまたは複数に関して説明される機能性など、本明細書で説明される実施形態をサポートするための無線デバイス機能性のいずれかを含む）無線デバイス３１０の処理機能を実施し得る。一例として、決定モジュール５０２は、アップリンク電力制御に関係する設定を決定し、その設定を用いて、少なくとも１つの参照信号を受信し、少なくとも１つの参照信号を受信したことに基づいて（ロスなどの）伝搬関係の量を測定し、測定された伝搬関係の量に基づいてアップリンク電力セッティングを導出し得る。
【００６６】
決定モジュール５０２は、図４に関して上記で説明された処理回路要素４１４を含むか、または処理回路要素４１４中に含まれ得る。決定モジュール５０２は、決定モジュール５０２および／または上記で説明された処理回路要素の機能のいずれかを実施するように設定されたアナログおよび／またはデジタル回路要素を含み得る。上記で説明された決定モジュール５０２の機能は、いくつかの実施形態では、１つまたは複数の異なったモジュールにおいて実施され得る。
【００６７】
通信モジュール５０４は、無線デバイス３１０の送信機能を実施し得る。たとえば、いくつかの実施形態では、通信モジュール５０４は、決定モジュール５０２によって導出された電力セッティングに従ってアップリンク信号を通信し得る。通信モジュール５０４は、図４に関して上記で説明された無線インターフェース４１２など、送信機および／または無線インターフェースを含み得る。通信モジュール５０４は、メッセージおよび／または信号を無線で送信するように設定された回路要素を含み得る。特定の実施形態では、通信モジュール５０４は、決定モジュール５０２から送信のためのメッセージおよび／または信号を受信し得る。いくつかの実施形態では、上記で説明された通信モジュール５０４の機能は、１つまたは複数の異なったモジュールにおいて実施され得る。
【００６８】
受信モジュール５０６は、無線デバイス３１０の受信機能を実施し得る。たとえば、受信モジュール５０６は、ネットワークノード（たとえば、送信ポイント３２０）から情報を受信し得る。情報は、アップリンク電力に関係する設定に従って受信される少なくとも１つの参照信号を含み得る。さらに、いくつかの実施形態では、アップリンク電力に関係する設定は、ネットワークノードから受信され得る（たとえば、図９）。受信モジュール５０６は、図４に関して上記で説明された無線インターフェース４１２など、受信機および／または無線インターフェースを含み得る。受信モジュール５０６は、メッセージおよび／または信号を無線で受信するように設定された回路要素を含み得る。いくつかの実施形態では、受信モジュール５０６は、無線デバイス３１０のメモリ４１６から情報を受信するように設定された回路要素を含み得る。特定の実施形態では、受信モジュール５０６は、受信されたメッセージおよび／または信号を決定モジュール５０２に通信し得る。上記で説明された受信モジュール５０６の機能は、いくつかの実施形態では、１つまたは複数の異なったモジュールにおいて実施され得る。
【００６９】
いくつかの実施形態では、無線デバイス３１０は、無線デバイス３１０を対象とするユーザ入力を受信し得るユーザ入力モジュール５０８を随意に含み得る。たとえば、ユーザ入力モジュール５０８は、キー押下、ボタン押下、タッチ、スワイプ、オーディオ信号、ビデオ信号、および／または任意の他の適切な信号を受信し得る。ユーザ入力モジュール５０８は、１つまたは複数のキー、ボタン、レバー、スイッチ、タッチスクリーン、マイクロフォン、および／またはカメラを含み得る。ユーザ入力モジュール５０８は、受信された信号を決定モジュール５０２に通信し得る。上記で説明されたユーザ入力モジュール５０８の機能は、いくつかの実施形態では、１つまたは複数の異なったモジュールにおいて実施され得る。
【００７０】
いくつかの実施形態では、無線デバイス３１０は、無線デバイス３１０のディスプレイ上に信号を提示し得る、ディスプレイモジュール５１０を随意に含み得る。ディスプレイモジュール５１０は、ディスプレイ、ならびに／またはディスプレイ上に信号を提示するように設定された任意の適切な回路要素およびハードウェアを含み得る。ディスプレイモジュールは、決定モジュール５０２から、ディスプレイ上に提示すべき信号を受信し得る。上記で説明されたディスプレイモジュール５０２の機能は、いくつかの実施形態では、１つまたは複数の異なったモジュールにおいて実施され得る。
【００７１】
図５に示されている各モジュールは、ハードウェアおよび／またはソフトウェアの任意の好適な設定を含み得る。無線デバイス３１０は、上記で説明された機能性および／または（本明細書で説明される様々なソリューションをサポートするのに必要な任意の機能性を含む）任意の追加の機能性のいずれかを含む、任意の好適な機能性を提供することを担当し得る、図５に示されているモジュール以外の追加のモジュールを含み得る。
【００７２】
いくつかの実施形態では、図５に示されているモジュールの一部または全部は、図４に示されている１つまたは複数のモジュールと組み合わせられ得る。一例として、いくつかの実施形態は、処理回路要素（図４）の機能性の少なくとも一部を決定モジュール（図５）と組み合わせ得る。別の例として、いくつかの実施形態は、無線インターフェース（図４）の機能性の少なくとも一部を通信モジュールおよび／または受信モジュール（図５）と組み合わせ得る。
【００７３】
図６は、いくつかの実施形態による、送信ポイント３２０など、例示的なネットワークノードのブロック図である。送信ポイント３２０は、（１つまたは複数の）無線インターフェース６２２、（たとえば、１つまたは複数のプロセッサを備える）処理回路要素６２４、（１つまたは複数の）メモリ６２６、および／または（１つまたは複数の）ネットワークインターフェース６２８のうちの１つまたは複数を含み得る。いくつかの実施形態では、無線インターフェース６２２は、（たとえば、アンテナを介して）無線信号を無線デバイス３１０に送信することを可能にする送信機と、無線信号を無線デバイス３１０から受信することを可能にする受信機とを備え、処理回路要素６２４は、送信ポイント３２０によって提供されるものとして本明細書で説明される機能性の一部または全部を提供するための命令を実行し、メモリ６２６は、処理回路要素６２４によって実行される命令を記憶し、ネットワークインターフェース６２８は、ゲートウェイ、スイッチ、ルータ、インターネット、公衆交換電話網（ＰＳＴＮ）、コアネットワークノード、または無線ネットワークコントローラなど、バックエンドネットワーク構成要素に信号を通信する。
【００７４】
処理回路要素６２４は、送信ポイントによってサーブされるべき無線デバイスのアップリンク電力制御に関係する設定を送信する機能、および１つまたは複数の参照信号を送信する機能など、送信ポイント３２０の説明される機能の一部または全部を実施するために、命令を実行し、データを操作するための、１つまたは複数のモジュールにおいて実装されたハードウェアとソフトウェアとの任意の好適な組合せを含み得る。送信ポイントの処理回路要素６２４によって実施される機能性の例が、図９および図１２ならびにさらなる例示的な実施形態３０〜４７に関して以下で説明される。また、送信ポイント３２０によって送信され得る無線デバイスのアップリンク電力制御に関係する設定の例が、図２に関して説明される。いくつかの実施形態では、処理回路要素６２４は、たとえば、１つまたは複数のコンピュータ、１つまたは複数の中央処理ユニット（ＣＰＵ）、１つまたは複数のマイクロプロセッサ、１つまたは複数のアプリケーション、および／または他の論理を含み得る。いくつかの実施形態では、処理回路要素６２４は、図７に関して説明されるモジュールのうちの１つまたは複数を備え得る。
【００７５】
メモリ６２６は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ６２６の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【００７６】
いくつかの実施形態では、ネットワークインターフェース６２８は処理回路要素６２４に通信可能に結合され、ネットワークインターフェース６２８は、送信ポイント３２０のための入力を受信するか、送信ポイント３２０からの出力を送るか、入力または出力あるいはその両方の好適な処理を実施するか、他のデバイスに通信するか、あるいは前述の任意の組合せを行うように動作可能な任意の好適なデバイスを指し得る。ネットワークインターフェース６２８は、ネットワークを通して通信するために、適切なハードウェア（たとえば、ポート、モデム、ネットワークインターフェースカードなど）と、プロトコル変換能力およびデータ処理能力を含むソフトウェアとを含み得る。
【００７７】
送信ポイント３２０の他の実施形態は、本明細書で説明される機能性および／または（本明細書で説明されるソリューションをサポートするのに必要な任意の機能性を含む）任意の追加の機能性のいずれかを含む、送信ポイント３２０の機能性のいくつかの態様を提供することを担当し得る、図６に示されている構成要素以外の追加の構成要素を含み得る。コアネットワークノード３３０は、図６に示されている構成要素と同様の構成要素を有し備え得るが、無線インターフェース（たとえば、無線インターフェース６２２）はコアネットワークノード３３０については随意である。様々な異なるタイプのネットワークノードは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【００７８】
図７は、送信ポイント３２０中に含まれ得るモジュールの例を示す。いくつかの実施形態では、送信ポイント３２０は、（１つまたは複数の）決定モジュール７０２、（１つまたは複数の）通信モジュール７０４、（１つまたは複数の）受信モジュール７０６、および／または他の好適なモジュールのうちのいずれか１つまたは複数を含み得る。モジュールの機能性は、任意の好適な様式で、単一の構成要素に組み込まれるかまたはいくつかの構成要素の間で分離され得る。いくつかの実施形態では、モジュールのうちの１つまたは複数は、図６に関して説明された処理回路要素６２４を使用して実装され得る。
【００７９】
決定モジュール７０２は、（図９または図１２および／あるいはさらなる例示的な実施形態３０〜４７のうちの１つまたは複数に関して説明される機能性など、本明細書で説明される実施形態をサポートするための送信ポイント機能性のいずれかを含む）送信ポイント３２０の処理機能を実施し得る。一例として、決定モジュール７０２は、送信ポイントによってサーブされるべき無線デバイスのアップリンク電力制御に関係する設定を決定し得る。設定のいくつかの実施形態が、たとえば、図２に関して、本明細書で説明される。
【００８０】
決定モジュール７０２は、決定モジュール７０２および／または上記で説明された処理回路要素６２４の機能のいずれかを実施するように設定されたアナログおよび／またはデジタル回路要素を含み得る。上記で説明された決定モジュール７０２の機能は、いくつかの実施形態では、１つまたは複数の異なったモジュールにおいて実施され得る。
【００８１】
通信モジュール７０４は、送信ポイント３２０の送信機能を実施し得る。一例として、通信モジュール７０４は、送信ポイントによってサーブされるべき無線デバイスのアップリンク電力制御に関係する設定を無線デバイス３１０に送信し得る。別の例として、通信モジュール７０４は、１つまたは複数の参照信号を送信し得る。通信モジュール７０４は、図６に関して上記で説明された無線インターフェース６２２など、送信機および／または無線インターフェースを含み得る。別の例として、通信モジュール７０４は、他の送信ポイント３２０に情報を送り得る。通信モジュール７０４は、図６に関して上記で説明されたインターフェース６２８など、ネットワークインターフェースを含み得る。通信モジュール７０４は、無線および／または有線メッセージならびに／あるいは信号を送信するように設定された回路要素を含み得る。特定の実施形態では、通信モジュール７０４は、決定モジュールから送信のためのメッセージおよび／または信号を受信し得る。いくつかの実施形態では、上記で説明された通信モジュール７０４の機能は、１つまたは複数の異なったモジュールにおいて実施され得る。
【００８２】
受信モジュール７０６は、送信ポイント３２０の受信機能を実施し得る。たとえば、無線デバイス３１０からのメッセージ。受信モジュール７０６は、図６に関して上記で説明された無線インターフェース６２２など、受信機および／または無線インターフェースを含み得る。別の例として、受信モジュール７０６は、他の送信ポイント３２０から情報を受信し得る。受信モジュール７０６は、図６に関して説明されたインターフェース６２８など、ネットワークインターフェースを含み得る。受信モジュール７０６は、無線および／または有線メッセージならびに／あるいは信号を受信するように設定された回路要素を含み得る。いくつかの実施形態では、受信モジュール７０６は、送信ポイント３２０のメモリ６２４から情報を受信するように設定された回路要素を含み得る。特定の実施形態では、受信モジュール７０６は、受信されたメッセージおよび／または信号を決定モジュールに通信し得る。上記で説明された受信モジュール７０６の機能は、いくつかの実施形態では、１つまたは複数の異なったモジュールにおいて実施され得る。
【００８３】
いくつかの実施形態では、図７に示されているモジュールの一部または全部は、図６に示されている１つまたは複数のモジュールと組み合わせられ得る。一例として、いくつかの実施形態は、処理回路要素（図６）の機能性の少なくとも一部を決定モジュール（図７）と組み合わせ得る。
【００８４】
図８は、いくつかの実施形態による、無線デバイス３１０において使用するための方法の一例を示す。ステップ８０２において、本方法は、送信ポイント３２０から少なくとも１つの参照信号を受信する。受信することは、アップリンク電力制御に関係する設定に従って実施される。いくつかの実施形態では、設定は、アップリンク電力制御のために複数の参照信号のうちのどれを使用すべきかを示し得る。いくつかの実施形態では、設定は、特定のアップリンクチャネル、信号、および／またはグループ（たとえば、１つまたは複数のアップリンクチャネルおよび／または信号を備えるグループ）について別々に設定され得る。設定の追加の例が、たとえば、図２およびさらなる例示的な実施形態１〜２９に関して説明される。ステップ８０４において、本方法は、少なくとも１つの参照信号に基づいて伝搬関係の量のロスを測定する。ステップ８０６において、本方法は、測定された伝搬関係の量に基づいてアップリンク電力セッティングを導出する。本方法は、導出されたアップリンク電力セッティングに従ってアップリンク信号を送ることをさらに含み得る。いくつかの実施形態では、異なるアップリンク電力セッティングは、異なるアップリンクチャネル、信号、および／またはそのグループについて導出され得る。
【００８５】
図９は、いくつかの実施形態による、送信ポイント３２０において使用するための方法の一例を示す。ステップ９０２において、本方法は、送信ポイントによってサーブされるべき無線デバイスのアップリンク電力制御に関係する設定を示す第１の制御情報を送信する。いくつかの実施形態では、設定は、アップリンク電力制御のために複数の参照信号のうちのどれを使用すべきかを示し得る。いくつかの実施形態では、設定は、特定のアップリンクチャネル、信号、および／またはグループ（たとえば、１つまたは複数のアップリンクチャネルおよび／または信号を備えるグループ）について別々に設定され得る。ステップ９０４において、本方法は、少なくとも１つの参照信号を送信する。
【００８６】
例示的な一実施形態では、ＵＥがパスロスを効率的に推定するためのやり方を可能にするために、ＵＬ  ＰＣのためにどの参照信号／参照信号のセットを使用すべきかに関するオプションの限られたセットのうちの１つをＵＥに設定し、ＳＲＳ、ＰＵＣＣＨおよびＰＵＳＣＨ、ならびに場合によってはＰＲＡＣＨについて別々にこの設定を適用することが提案される。この例示的な実施形態は、たとえばＳＲＳ  ＰＣをある参照信号／参照信号のセットに基づかせることを可能にし得るが、ＰＵＣＣＨおよびＰＵＳＣＨは別の参照信号／参照信号のセットに基づく。これは、いくつかの使用事例において有益であり得る。
【００８７】
図１０は、上記で説明された無線デバイス３１０など、無線デバイスにおいて実装される方法の一例を示す。図１０に示されている方法は、設定のセットを表す設定データを決定することを伴うステップ１００２において始まる。たとえば、設定データは、上記で説明された送信ポイント３２０など、ネットワークノードから設定データを受信することによって決定され得る。いくつかの実施形態では、設定データは半静的シグナリング中で受信される。いくつかの実施形態では、設定のセットは、アップリンクチャネルまたは信号あるいはそのグループに固有である。チャネルまたは信号あるいはそのグループの例は、ＰＵＳＣＨ、ＰＵＣＣＨ、および／またはＳＲＳのうちの１つまたは複数を含むことができる。いくつかの実施形態では、設定データは、各設定における参照信号のセットのサイズを示す。
【００８８】
本方法は、上記で説明された送信ポイント３２０など、送信ポイントから少なくとも１つの参照信号を受信することを伴うステップ１００４に進む。少なくとも１つの参照信号を受信することは、ステップ１００２において決定された設定のセットから選択された設定に従って実行される。選択された設定は、アップリンク電力制御に関係し、アップリンクチャネルまたは信号あるいはそのグループに固有である。いくつかの実施形態では、設定の選択は、図１１に関して以下でさらに説明されるように、制御情報を受信したことに基づいて行われる。いくつかの実施形態では、設定は、各時間セグメントまたは各周波数セグメントまたは各時間周波数タイルについてセットから独立して選択可能である。
【００８９】
ステップ１００６において、本方法は、少なくとも１つの参照信号に基づいて伝搬関係の量を測定することを進める。伝搬関係の量の例は、送信ポイントに対するパスロスおよび／またはパスロス関係の量を含む。ステップ１００８において、本方法は、測定された伝搬関係の量に基づいてアップリンク電力セッティングを導出することを含む。無線デバイスは、次いで、ステップ１００８において導出されたアップリンク電力セッティングに従ってアップリンク信号を送ることができる。
【００９０】
図１１は、上記で説明された無線デバイス３１０など、無線デバイスにおいて実装される方法の一例を示す。ステップ１１０２において、本方法は、第１の制御情報を受信することを含む。たとえば、第１の制御情報は、上記で説明された送信ポイント３２０など、ネットワークノードから受信され得る。第１の制御情報は、ＤＣＩなどの動的シグナリング、または上位レイヤシグナリングなどの半静的シグナリング中で受信され得る。第１の制御情報は、設定のセット中の選択された設定を示す。いくつかの実施形態では、第１の制御情報は、アップリンクチャネルまたは信号あるいはそのグループについて固有である。
【００９１】
いくつかの実施形態では、本方法は、図１１のステップ１１０４に示されているように、第２の制御情報を受信することをさらに含む。第２の制御情報は、第１の制御情報が関係するアップリンクチャネルまたは信号あるいはそのグループとは異なるアップリンクチャネルまたは信号あるいはそのグループに固有である。第２の制御情報は、時間または周波数位置が、第１の制御情報および第２の制御情報が伝達されるグラニュラリティのレベルで同じであるという意味において、第１の制御情報と同じ時間または周波数位置に関係する。特に、制御情報が一度に１つのセルに適用される場合、２つの周波数または周波数間隔は、それらが同じセルの周波数間隔中に含まれている場合に「同じ周波数位置」として理解され得る。同様に、制御情報が１つまたは複数のスロットに適用される場合、２つの時点または時間間隔は、それらが同じスロットまたは連続するスロットの有限セット中に含まれている場合に「同じ時間位置」であり得る。
【００９２】
図１０を参照すると、第１の制御情報は、アップリンクチャネルまたは信号あるいはそのグループについて、伝搬関係の量を測定し（ステップ１００６）、アップリンク電力セッティングを導出する（１００８）ために、ステップ１００４において少なくとも１つの参照信号を受信するためにステップ１００２において決定された設定のセットのうちのどれを選択すべきかを示す。第２の制御情報は、異なるアップリンクチャネルまたは信号あるいはそのグループについて、伝搬関係の量を測定し（ステップ１００６）、アップリンク電力セッティングを導出する（１００８）ために、ステップ１００４において少なくとも１つの参照信号を受信するためにステップ１００２において決定された設定のセットのうちのどれを選択すべきかを示す。
【００９３】
図１０および／または図１１の方法において使用され得る設定の追加の例が、たとえば、上記の図２および以下のさらなる例示的な実施形態１〜２９に関して説明される。
【００９４】
図１２は、上記で説明された送信ポイント３２０など、送信ポイントにおいて実装される方法の一例を示す。ステップ１２０２において、本方法は、設定データを送信することを含む。一例として、設定データは半静的シグナリング中で送信され得る。設定データは、送信ポイントによってサーブされるべき無線デバイス（たとえば、無線デバイス３１０）のアップリンク電力制御に関係する設定のセットを表す。いくつかの実施形態では、設定のセットは、アップリンクチャネルまたは信号あるいはそのグループに固有である。アップリンクチャネルまたは信号あるいはそのグループの例は、ＰＵＳＣＨ、ＰＵＣＣＨ、および／またはＳＲＳを含む。いくつかの実施形態では、設定データは、各設定における参照信号のセットのサイズを示す。
【００９５】
ステップ１２０４において、本方法は、少なくとも１つの参照信号を送信することを含む。図１０に関して上記で説明されたように、無線デバイスは、アップリンク電力セッティングを導出するために設定のセット中の選択された設定に従って参照を受信する。いくつかの実施形態では、送信ポイントは、選択された設定を無線デバイスに示すことができる。たとえば、図１２は、本方法がステップ１２０６において第１の制御情報を送信することをさらに含み得る実施形態を示す。たとえば、第１の制御情報は、ＤＣＩなどの動的シグナリング、または上位レイヤシグナリングなどの半静的シグナリング中で送信され得る。第１の制御情報は、設定のセット中の選択された設定を示す。いくつかの実施形態では、第１の制御情報は、アップリンクチャネルまたは信号あるいはそのグループについて固有である。いくつかの実施形態では、設定は、各時間セグメントまたは各周波数セグメントまたは各時間周波数タイルについてセットから独立して選択可能である。
【００９６】
いくつかの実施形態では、本方法は、ステップ１２０８において第２の制御情報を送信することをさらに含む。第２の制御情報は、選択された設定を示す。上記で説明されたように、ステップ１２０６の第１の制御情報によって示される選択された設定は、アップリンクチャネルまたは信号あるいはそのグループに固有である。ステップ１２０８において、第２の制御情報によって示される選択された設定は、異なるアップリンクチャネルまたは信号あるいはそのグループに固有である。第２の制御情報は、時間または周波数位置が、第１の制御情報および第２の制御情報が伝達されるグラニュラリティのレベルで同じであるという意味において、第１の制御情報と同じ時間または周波数位置に関係する。特に、制御情報が一度に１つのセルに適用される場合、２つの周波数または周波数間隔は、それらが同じセルの周波数間隔中に含まれている場合に「同じ周波数位置」として理解され得る。同様に、制御情報が１つまたは複数のスロットに適用される場合、２つの時点または時間間隔は、それらが同じスロットまたは連続するスロットの有限セット中に含まれている場合に「同じ時間位置」であり得る。
【００９７】
図１２の方法において使用され得る設定の追加の例が、たとえば、上記の図２および以下のさらなる例示的な実施形態３０〜４７に関して説明される。
【００９８】
有利な例示的な実施形態の簡潔な説明は、以下の通りである。
１．無線デバイスにおいて実装される方法であって、
送信ポイントから少なくとも１つの参照信号を受信することと、
少なくとも１つの参照信号に基づいて伝搬関係の量のロスを測定することと、
測定された伝搬関係の量に基づいてアップリンク電力セッティングを導出することと
を含み、
少なくとも１つの参照信号を前記受信することが、アップリンク電力制御に関係する設定に従って実行される、
方法。
【００９９】
２．アップリンク電力セッティングが、アップリンクチャネルまたは信号あるいはそのグループに固有である、実施形態１に記載の方法。
【０１００】
３．チャネルまたは信号あるいはそのグループが、ＰＵＳＣＨ、ＰＵＣＣＨ、ＰＲＡＣＨ、ＳＲＳのうちの１つまたは複数である、実施形態２に記載の方法。
【０１０１】
４．  設定が、アップリンクチャネルまたは信号あるいはそのグループに固有である、実施形態１から３のいずれか１つに記載の方法。
【０１０２】
５．チャネルまたは信号あるいはそのグループが、ＰＵＳＣＨ、ＰＵＣＣＨ、ＰＲＡＣＨ、ＳＲＳのうちの１つまたは複数である、実施形態４に記載の方法。
【０１０３】
６．ＳＲＳのための設定がＰＵＳＣＨのための設定とは異なる、実施形態５に記載の方法。
【０１０４】
７．アップリンク電力セッティングが、アップリンクチャネルまたは信号あるいはそのグループに固有のあらかじめ規定されたルールに従って導出される、実施形態１から６のいずれか１つに記載の方法。
【０１０５】
８．設定のセットを表す設定データを決定することであって、設定がセットから選択される、設定データを決定することをさらに含む、実施形態１から７のいずれか１つに記載の方法。
【０１０６】
９．設定のセットが、非ビーム固有アップリンク電力制御に好適な少なくとも１つの設定と、ビーム固有アップリンク電力制御に好適な少なくとも１つの設定とを含む、実施形態８に記載の方法。
【０１０７】
１０．設定が、各時間セグメントまたは各周波数セグメントまたは各時間周波数タイルについてセットから独立して選択可能である、実施形態８または９に記載の方法。
【０１０８】
１１．時間セグメントがスロットまたはミニスロットであること、時間セグメントがサブフレームであること、時間セグメントが無線フレームであること、周波数セグメントがサブキャリアであること、周波数セグメントが周波数帯域であること、時間周波数タイルがリソースブロックであることのうちの１つが成り立つ、実施形態１０に記載の方法。
【０１０９】
１２．設定データが半静的シグナリング中で受信される、実施形態８から１１のいずれか１つに記載の方法。
【０１１０】
１３．設定のセットがネットワーク仕様においてあらかじめ規定される、実施形態８から１１のいずれか１つに記載の方法。
【０１１１】
１４．設定のセット中の１つの設定を選択することによって設定を示す第１の制御情報を受信することをさらに含む、実施形態１２または１３に記載の方法。
【０１１２】
１５．設定を示す第１の制御情報を受信することをさらに含む、実施形態１から１４のいずれか１つに記載の方法。
【０１１３】
１６．第１の制御情報が動的シグナリング中で受信される、実施形態１４または１５に記載の方法。
【０１１４】
１７．第１の制御情報が、アップリンクチャネルまたは信号あるいはそのグループについて固有である、実施形態１４から１６のいずれか１つに記載の方法。
【０１１５】
１８．第２の制御情報を受信することであって、第２の制御情報が、第１の制御情報と同じ時間または周波数位置に関係するが、異なるアップリンクチャネルまたは信号あるいはそのグループに固有である、第２の制御情報を受信することをさらに含む、実施形態１７に記載の方法。
【０１１６】
１９．設定のセットが、アップリンクチャネルまたは信号あるいはそのグループに固有である、実施形態８から１８のいずれか１つに記載の方法。
【０１１７】
２０．ＳＲＳのための設定がＰＵＳＣＨのための設定とは異なる、実施形態２０に記載の方法。
【０１１８】
２１．設定が、少なくとも非ビーム固有アップリンク電力制御のために適用可能である、実施形態１から２０のいずれか１つに記載の方法。
【０１１９】
２２．設定が、無線デバイスの周波数能力の比較的低い範囲において動作する無線デバイスのアップリンク電力制御のために適用可能である、実施形態１から２１のいずれか１つに記載の方法。
【０１２０】
２３．伝搬関係の量が、送信ポイントに対するパスロス、ＲＳＲＰ、結合ロス、パスロス関係の量のうちの１つまたは複数である、実施形態１から２２のいずれか１つに記載の方法。
【０１２１】
２４．アップリンク電力セッティングが、あらかじめ規定されたルールに従って導出される、実施形態１から２３のいずれか１つに記載の方法。
【０１２２】
２５．あらかじめ規定されたルールが、サービングセルの設定された送信電力、送信リソースの帯域幅、変調符号化セッティング（ｍｏｄｕｌａｔｉｏｎ  ａｎｄ  ｃｏｄｉｎｇ  ｓｅｔｔｉｎｇ）、設定された補正値のうちの１つまたは複数をさらに考慮する、実施形態２４に記載の方法。
【０１２３】
２６．アップリンク電力セッティングをアップリンク送信に適用することをさらに含む、実施形態１から２５のいずれか１つに記載の方法。
【０１２４】
２７．受信機と、送信機と、処理回路要素と、命令を記憶したメモリとを備える無線デバイスであって、命令が、
送信ポイントから少なくとも１つの参照信号を受信することと、
少なくとも１つの参照信号に基づいて伝搬関係の量のロスを測定することと、
測定された伝搬関係の量に基づいてアップリンク電力セッティングを導出することと
を行うために処理回路要素によって実行可能であり、
少なくとも１つの参照信号を前記受信することが、アップリンク電力制御に関係する設定に従って実行される、
無線デバイス。
【０１２５】
２８．メモリが、実施形態２から１８のいずれか１つに記載の方法を実施するための命令をさらに備える、実施形態２７に記載の無線デバイス。
【０１２６】
２９．無線デバイスがユーザ機器である、実施形態２７または２８に記載の無線デバイス。
【０１２７】
３０．送信ポイントにおいて実装される方法であって、
送信ポイントによってサーブされるべき無線デバイスのアップリンク電力制御に関係する設定を示す第１の制御情報を送信することと、
少なくとも１つの参照信号を送信することと
を含む、方法。
【０１２８】
３１．設定のセットを表す設定データを送信することをさらに含む、実施形態３０に記載の方法。
【０１２９】
３２．設定のセットが、非ビーム固有アップリンク電力制御に好適な少なくとも１つの設定と、ビーム固有アップリンク電力制御に好適な少なくとも１つの設定とを含む、実施形態３１に記載の方法。
【０１３０】
３３．設定が、送信ポイントによってサーブされるべき無線デバイスによって、各時間セグメントまたは各周波数セグメントまたは各時間周波数タイルについてセットから独立して選択可能である、実施形態３０から３２のいずれか１つに記載の方法。
【０１３１】
３４．時間セグメントがスロットまたはミニスロットであること、周波数セグメントがサブキャリアであること、時間周波数タイルがリソースブロックであることのうちの１つが成り立つ、実施形態３３に記載の方法。
【０１３２】
３５．設定データが半静的シグナリング中で送信される、実施形態３０から３４のいずれか１つに記載の方法。
【０１３３】
３６．第１の制御情報が、設定のセット中の１つの設定を選択することによって設定を示す、実施形態３０から３５のいずれか１つに記載の方法。
【０１３４】
３７．第１の制御情報が半静的または動的シグナリング中で送信される、実施形態３６に記載の方法。
【０１３５】
３８．第１の制御情報が、アップリンクチャネルまたは信号あるいはそのグループに固有である、実施形態３０から３７のいずれか１つに記載の方法。
【０１３６】
３９．第２の制御情報を送信することであって、第２の制御情報が、第１の制御情報と同じ時間または周波数位置に関係するが、異なるアップリンクチャネルまたは信号あるいはそのグループに固有である、第２の制御情報を送信することをさらに含む、実施形態３８に記載の方法。
【０１３７】
４０．チャネルまたは信号あるいはそのグループが、ＰＵＳＣＨ、ＰＵＣＣＨ、ＰＲＡＣＨ、ＳＲＳのうちの１つまたは複数である、実施形態３８または３９に記載の方法。
【０１３８】
４１．設定のセットが、アップリンクチャネルまたは信号あるいはそのグループに固有である、実施形態３１から４０のいずれか１つに記載の方法。
【０１３９】
４２．ＳＲＳのための設定がＰＵＳＣＨのための設定とは異なる、実施形態４１に記載の方法。
【０１４０】
４３．受信機と、送信機と、処理回路要素と、命令を記憶したメモリとを備える送信ポイントであって、命令が、
送信ポイントによってサーブされるべき無線デバイスのアップリンク電力制御に関係する設定を示す第１の制御情報を送信することと、
少なくとも１つの参照信号を送信することと
を行うために処理回路要素によって実行可能である、送信ポイント。
【０１４１】
４４．メモリが、実施形態３０から４２のいずれか１つに記載の方法を実施するための命令をさらに備える、実施形態４３に記載の送信ポイント。
【０１４２】
４５．送信ポイントが、ｇＮＢなど、基地局である、実施形態４３または４４に記載の送信ポイント。
【０１４３】
４６．プログラマブルプロセッサに、実施形態１から２６のいずれか１つまたは実施形態３０から４２のいずれか１つに記載の方法を実施させるためのコンピュータ可読命令を備える、コンピュータプログラム。
【０１４４】
４７．実施形態４６に記載のコンピュータプログラムを記憶したコンピュータ可読媒体を備える、コンピュータプログラム製品。
【０１４５】
本発明を例示するために本開示では３ＧＰＰ  ＬＴＥからの用語が使用されているが、このことは、本発明の範囲を上述のシステムのみに限定するものと見なされるべきではない。他の無線システム、特に５Ｇ／ＮＲ、ＷＣＤＭＡ、ＷｉＭａｘ、ＵＭＢおよびＧＳＭも、本開示内でカバーされるアイデアを活用することから恩恵を受け得る。
【０１４６】
ＮＲ用語とＬＴＥ用語とは、かなりの程度まで一致し、たとえば、リソースエレメント（ＲＥ）は、１つのサブキャリア×１つのＯＦＤＭシンボルのままである。ＬＴＥにおいて知られているまたいくつかの用語は、ＮＲにおいて新しい意味を与えられた。特許請求の範囲を含む、本開示では、プレフィックス「ＬＴＥ」および「ＮＲ」は、関連する技術コンテキストを明瞭にするために使用され得る。例：１ｍｓ持続するＬＴＥサブフレームは、ノーマルＣＰについて１４個のＯＦＤＭシンボルを含んでいる。ＮＲサブフレームは、１ｍｓの固定持続時間を有し、それゆえに、異なるサブキャリアスペーシングについて異なる数のＯＦＤＭシンボルを含んでいることがある。ＬＴＥスロットは、ノーマルＣＰのための７つのＯＦＤＭシンボルに対応する。ＮＲスロットは、７つまたは１４個のＯＦＤＭシンボルに対応し、１５ｋＨｚサブキャリアスペーシングにおいて、７つのＯＦＤＭシンボルをもつスロットは０．５ｍｓを占有する。３ＧＰＰ  ＴＲ３８．８０２  ｖ１４．０．０の参照が行われる。それゆえに、本開示のいくつかの実施形態はＬＴＥ由来の用語を使用して説明されたが、本開示のいくつかの実施形態はＮＲ技術に十分に適用可能なままである。
【０１４７】
本開示の範囲から逸脱することなく、本明細書で説明されるシステムおよび装置に対して修正、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各メンバーまたはセットのサブセットの各メンバーを指す。
【０１４８】
本開示の範囲から逸脱することなく、本明細書で説明される方法に対して修正、追加、または省略が行われ得る。本方法は、より多数の、より少数の、または他のステップを含み得る。さらに、ステップは、任意の好適な順序で実施され得る。概して、特許請求の範囲において使用されるすべての用語は、本明細書で別段明示的に規定されない限り、本技術分野におけるその通例の意味に従って解釈されるべきである。「１つの（ａ／ａｎ）／その（ｔｈｅ）エレメント、装置、構成要素、手段、ステップなど」へのすべての言及は、別段明示的に述べられていない限り、そのエレメント、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。
【０１４９】
本開示はいくつかの実施形態に関して説明されたが、実施形態の改変および置換は当業者に明らかである。したがって、実施形態の上記の説明は、本開示を制約しない。他の変更、置換、および改変が、本開示の趣旨および範囲から逸脱することなく可能である。
【図１】
0006918152.tif 000002
【図２】
0006918152.tif 000003
【図３】
0006918152.tif 000004
【図４】
0006918152.tif 000005
【図５】
0006918152.tif 000006
【図６】
0006918152.tif 000007
【図７】
0006918152.tif 000008
【図８】
0006918152.tif 000009
【図９】
0006918152.tif 000010
【図１０】
0006918152.tif 000011
【図１１】
0006918152.tif 000012
【図１２】
0006918152.tif 000013